(57)【要約】【課題】  記録媒体に記録された再生データを短時間で再生することができる「再生装置および再生方法」を提供する。【解決手段】  オーディオプレイヤー１は、音楽等の再生データを記録したディスク１０と、ディスク１０の表面に取付けられ、少なくともディスク１０のＴＯＣ情報を記憶するＩＣタグ２０と、ＩＣタグ２０に記憶されたＴＯＣ情報の読取りを行う読取制御部４０と、読取制御部４０によって読取られたＴＯＣ情報に基づきディスク１０の再生データの読取・再生を行うデータ再生部３０とを有する。【選択図】      図１
2005243119.tif 000002
【特許請求の範囲】
【請求項１】
記録媒体に、少なくとも記録媒体に記録された内容に関する情報を記憶する無線通信用電子回路が取り付けられた再生データを記録した記録媒体の再生が可能な再生装置において、
無線通信用電子回路に記憶された内容に関する情報の読取りを行う読取制御手段と、
読取制御手段によって読取られた内容に関する情報に基づき記録媒体に記録された再生データについての再生を行う再生手段と、
を有する再生装置。
【請求項２】
読取制御手段は、無線通信用電子回路を識別するための識別手段を含む、請求項１または２に記載の再生装置。
【請求項３】
無線通信用電子回路は、内容に関する情報を記憶するためのメモリを含む、請求項１に記載の再生装置。
【請求項４】
無線通信用電子回路は、記録媒体の表面に取付けられている、請求項１ないし３いずれか１つに記載の再生装置。
【請求項５】
再生手段は、回転される記録媒体から光学的に再生データの読取りを行う光学ピックアップと、光学ピックアップを駆動する駆動部を含み、駆動部は、読取制御手段によって読取られた内容に関する情報に基づき光学ピックアップを駆動する、請求項１ないし４いずれか１つに記載の再生装置。
【請求項６】
記録媒体に記録された再生データの再生方法であって、
記録媒体に記録された内容に関する情報を記憶する無線通信用電子回路から、当該内容に関する情報を無線通信により読取る第１のステップと、
読取られた内容に関する情報に基づき記録媒体に記録された再生データの読取りおよびこれの再生を行う第２のステップと、
を有する再生方法。
【請求項７】
第１のステップにおける読取りは、記録媒体が回転される前に行われる、請求項６に記載の再生方法。
【請求項８】
第２のステップは、記録媒体の回転安定待ち時間後に再生データを読取る、請求項６に記載の再生方法。
【請求項９】
無線通信用電子回路は、ＲＦＩＤ技術を用いたものであり、当該回路は記録媒体のＴＯＣ情報を記憶する、請求項６に記載の再生方法。
【発明の詳細な説明】
【技術分野】
【０００１】
本発明は、ＣＤやＭＤ等の記録媒体に記録された再生データを再生するための再生装置および再生方法に関する。
【背景技術】
【０００２】
ＣＤやＭＤ等に記録された音楽データを再生する場合、初めにＴＯＣ（Table of Contents）情報の読取が行われる。ＴＯＣ情報は、ＣＤ等の記録内容を示す目次、目録であり、録音されている曲数、演奏時間、トラック情報等を記録している。ＴＯＣの未使用領域を利用して、文字情報が記録されることもある。
【０００３】
一般に、ＴＯＣ情報は、ディスクの最内周に記録されており、ＣＤをプレーヤーに装着すると、自動的にＴＯＣ情報が読み込まれ、音楽ファイルの再生順序や時間等の情報が取得される。そして、この情報に基づき目標のトラックに光学ピックアップを素早くアクセスさせ、音楽データの読取り、再生を行っている。
【０００４】
特許文献１は、ディスクの表面に、ディスクの種類および再生順序を示すバーコードを同心円状に付し、ラインセンサでバーコードの情報を読取る読み取り装置を開示している。複数枚のディスクを再生するとき、バーコードに記録された再生順序を自動的に読取り、ディスクの連続再生を可能にしている。
【０００５】
【特許文献１】特開平５−３２４９４３号
【発明の開示】
【発明が解決しようとする課題】
【０００６】
しかしながら、上記従来の再生装置には次のような課題がある。再生装置において、ＣＤやＭＤ等のディスクが挿入されたとき、あるいはディスクが交換されたとき、ディスクに記録されたＴＯＣ情報の読取りが行われる。ＴＯＣ情報は、ディスクの回転が安定された後に読取られるため、ユーザは、それまでの一定期間、音楽の再生を待たなければならなない
【０００７】
また、特許文献１に示すように、ディスクに付けたバーコードを利用して情報を取得する場合、バーコードに含まれるデータ量は限定的であるが故にＴＯＣ情報をすべて記録することは困難である。さらに、バーコードを利用する場合には、その読取りセンサの位置精度も必要であり、結果として高価な読み取り装置となってしまう。
【０００８】
本発明は、上記従来の技術を解決し、記録媒体に記録された再生データを短時間で再生することができる再生装置および再生方法を提供することを目的とする。
さらに本発明は、コストが安く、簡単にＴＯＣ情報等の読取りを行うことができる再生装置および再生方法を提供することを目的とする。
【課題を解決するための手段】
【０００９】
本発明に係る再生装置は、記録媒体に、少なくとも記録媒体に記録された内容に関する情報を記憶する無線通信用電子回路が取り付けられた再生データを記録した記録媒体の再生が可能であり、以下の手段を有する。無線通信用電子回路に記憶された内容に関する情報の読取りを行う読取制御手段と、読取制御手段によって読取られた内容に関する情報に基づき記録媒体に記録された再生データについての再生を行う再生手段とを有する。
【００１０】
さらに本発明に係る、記録媒体に記録された再生データの再生方法は、記録媒体に記録された内容に関する情報を記憶する無線通信用電子回路から、当該内容に関する情報を無線通信により読取る第１のステップと、読取られた内容に関する情報に基づき記録媒体に記録された再生データの読取りおよびこれの再生を行う第２のステップとを有する。
【発明の効果】
【００１１】
本発明の再生装置によれば、記録媒体に記録された内容に関する情報を記憶する無線通信用電子回路を記録媒体に取付け、その無線通信用電子回路から内容に関する情報を読取って再生データを再生するようにしたので、従来の手法と比較して、再生までに要する時間を短縮することができる。
【発明を実施するための最良の形態】
【００１２】
本発明に係る再生装置は、好ましくは、ＣＤやＭＤ等のディスク状の記録媒体を再生するオーディオプレイヤーによって実施される。以下、図面を参照して詳細な実施例を説明する。
【実施例】
【００１３】
図１は、本発明の実施例に係るオーディオプレイヤーの構成を示すブロック図である。オーディオプレイヤー１は、ＣＤやＭＤ等のディスク１０と、ディスク１０に取付けられたＩＣタグ２０と、ディスク１０に記録されたオーディオデータを読取り、これを再生するデータ再生部３０と、ＩＣタグ２０に記憶されたディスクのＴＯＣ情報を無線通信により読取る読取制御部４０とを含んで構成される。従来の場合、ＴＯＣ情報はディスクに記録されるが、本実施例は、ディスク１０に取付けられたＩＣタグ２０にＴＯＣ情報を記憶させ、ここから読取られたＴＯＣ情報をデータ再生部３０へ供給する。
【００１４】
好ましくはＩＣタグ２０は、図２に示すように、ディスク１０の表面に接着剤等を用いて固定される。ディスク１０の裏面はデータ読取面であり、裏面にＩＣタグ２０を取付けると読取りに支障をきたす。このため、ＩＣタグ２０を表面に取り付けている。但し、読取りに障害が生じないようであれば、ＩＣタグ２０を裏面に取り付けてもよい。
【００１５】
ＩＣタグ２０は、無線タグであり、ＲＦＩＤ(Radio Frequency IDentification system)と呼ばれる無線通信を用いた識別技術を行うものである。ＩＣタグ２０は、図３に示すように、電子回路部２２と、アンテナ部２４とを含む。電子回路部２２は、好ましくは、読み書き可能なメモリ２６と制御部２８とを有する。メモリ２６は、ディスクの再生に必要なＴＯＣ情報を記憶する。制御部２８は、後述する読取制御部４０からの信号に基づきメモリ２６のＴＯＣ情報の読出しや信号の送受の制御等を行う。アンテナ部２４は、無線制御部４０から送信される電波を受け取り、または、メモリ２６から読み出した情報を送信する。好ましくは、ＩＣタグ２０は、電源を含まないパッシブタイプであり、アンテナ部２４で受信した電波を電気エネルギーに変換する。
【００１６】
図４に読取制御部４０の構成を示す。読取制御部４０は、ＩＣタグ２０との間で無線通信を行うためのＲＦモジュール４２と、受信した信号の誤りチェックやデコード等の処理を行うコントローラ４４とを有する。ＲＦモジュール４２は、そこから一定距離内に位置するＩＣタグ２０に電波を送信し、ＩＣタグ２０に記憶されたＴＯＣ情報を読取る。読取られたＴＯＣ情報は、コントローラ４４からデータ再生部３０に出力される。
【００１７】
図５にデータ再生部の構成を示す。データ再生部３０は、ディスクの記録面にレーザ光を照射しその反射光を電気信号に変換する光学ピックアップ３１と、光学ピックアップ３１からの読み取り信号に基づきＴＥ（トラッキングエラー）信号等を生成したり、オーディオ出力に必要なデコード処理等を行う信号処理部３２と、信号処理部３２からのディジタルオーディオ信号をアナログオーディオ信号に変換するディジタル−オーディオコンバータ（ＤＡＣ）３３と、音声出力を行うスピーカ３４と、光学ピックアップ３１をサーボ駆動する駆動部３５と、信号処理部３２からのＴＥ信号等に基づき駆動部３５等を制御する中央処理部３６とを有している。中央処理部３６には、読取制御部４０によって読取られたＴＯＣ情報が供給される。
【００１８】
次に、本実施例におけるディスクの再生動作について図６のフローチャートを参照して説明する。再生しようとするディスクがターンテーブル等の所望の位置に配置される（ステップＳ１０１）。ディスクがターンテーブル上に配置される場合には、ディスクの有無をセンサによって判別し、これを読取制御部４０に伝えるようにしてもよい。ディスク１０は、必ずしもターンテーブル等の決められた位置にある必要はなく、読取制御部４０から無線通信可能な距離にあればよい。また、電波は透過性があるので、ディスク１０をハウジング等の内部に収容してもよい。
【００１９】
次に、読取制御部４０のＲＦモジュール４２からＩＣタグ２０に対して電波が発信され、これがＩＣタグ２０のアンテナ部２４で受信される。電波は電気エネルギーが変換され、このエネルギーを利用して制御部２８がメモリ２６に記憶されているＴＯＣ情報を読み出し、これをアンテナ部２４から送信する（ステップＳ１０２）。
【００２０】
ＩＣタグ２０から送信されたＴＯＣ情報は、ＲＦモジュール４２において受信され、コントローラ４４において誤りチェック等を行った後、中央処理部３６にＴＯＣ情報が供給される（ステップＳ１０３）。
【００２１】
中央処理部３６は、ＴＯＣ情報に基づき、ディスク１０に記録されている楽曲の順序や再生時間等を認識する（ステップＳ１０４）。そして、中央処理部３６は、ＴＯＣ情報に基づき駆動部３５を制御し、光学ピックアップ３１を所望の目標トラックへ素早く移動させ、再生データの読取および再生を行う（ステップＳ１０５）。
【００２２】
図７（ａ）は、従来のディスクの再生に要する時間、図７（ｂ）は、本実施例によるＩＣタグ付きディスクの再生に要する時間を示している。従来の場合、ディスクの挿入後、ディスクの回転が安定するまでの期間ｔ１の終了後に、期間ｔ２においてＴＯＣ情報の読取が行われ、その後に音楽の再生が行われる。すなわち、音楽再生に要する時間Ｔ０は、Ｔ０＝ｔ１＋ｔ２となる。
【００２３】
一方、本実施例の場合、読取制御部４０が無線通信によりディスク１０のＩＣタグ２０のＴＯＣ情報を読取るため、従来のように、ディスクを回転させてからＴＯＣ情報を読取る必要がない。従って、回転安定待ち期間ｔ１の終了後に即座に音楽の再生を行うことができる。ＩＣタグ２０からのＴＯＣ情報の読取りは、無線通信であるため短期間ｔ３で行うことが可能である。その結果、本実施例による音楽再生に要する時間Ｔ１は、Ｔ１＝ｔ１＋Ｔ３（＜Ｔ０）となり、従来と比較して、再生までの短縮時間がｔ２−ｔ３となる。
【００２４】
このように本実施例によれば、新たにディスクの再生を行うとき、あるいはディスクの交換を行うとき、再生までの待ち時間を短縮し、素早く音楽等の再生を行うことができる。
【００２５】
上記実施例では、音楽データの再生を例にしたが、勿論、これ以外にも映像データ等の再生であってもよい。さらに、上記実施例では、ＩＣタグからＴＯＣ情報を読取る例を示したが、ＴＯＣ情報以外にもディスクの再生に予め必要となる情報があればそれを読取るようにしてもよい。
【００２６】
さらに上記実施例では、ディスクを固定した状態にてＩＣタグからＴＯＣ情報を読取るようにしたが、ディスクを回転させた状態にてＩＣタグからＴＯＣ情報の読取を行うようにしてもよい。
【００２７】
さらに上記実施例では、ＩＣタグは無電池方式のパッシブタイプを用いたが、これ以外にも電池内蔵タイプであってもよい。ＩＣタグの伝送方式は、低周波信号を用いてもよいし、マイクロ波によるものであってもよく、その他、電子回路部に含まれるメモリは、読出し専用メモリであってもよいし、読み書き可能なメモリであってもよい。後者の場合、読取制御部４０は、メモリへの書込み機能を有することができる。
【００２８】
次に、本発明の第２の実施例によるディスクの再生動作について説明する。第２の実施例では、複数のディスクがある場合に、再生すべきディスクの識別を行うものである。図８に示すように、オーディオプレイヤー１は、ユーザからの入力を受け取る入力部３７、ディスプレイ３８、およびディスク毎の識別情報を記憶する識別情報記憶部３９を備えている。
【００２９】
識別情報記憶部３９は、図９に示すように、ディスクに記憶されている音楽情報についてのアルバム名やアーティスト名や、ディスク１０のＩＣタグを識別するための識別情報（ここではアドレス情報）を記憶している。
【００３０】
本実施例の再生動作を図１０を参照して説明する。中央処理部３６は、識別情報記憶部３９に記憶されたデータに基づき、ディスプレイ３８に、各ディスクのアルバム名やアーティスト名を表示させる（ステップＳ２０１）。ユーザは、ディスプレイ３８に表示された一覧から、再生を望むディスクを選択する（ステップＳ２０２）。
【００３１】
中央処理部３６は、選択されたディスクのアドレス情報を読取制御部４０のコントローラ４４へ送信する（ステップＳ２０３）。例えば、ユーザによってディスク＃２が選択された場合には、ディスク＃２に対応するアドレス情報「Ａｄ２」がコントローラ４４に送信される。
【００３２】
コントローラ４４は、ＲＦモジュール４２を介してＩＣタグ２０へアドレス情報「Ａｄ２」を含む信号を送信する（ステップＳ２０４）。ＩＣタグ２０には、固有のアドレス情報が割り当てられており、ＩＣタグ２０の制御部２８は、割り当てられたアドレス情報が受信されたアドレス情報と一致するか否かを判別する（ステップＳ２０５）。アドレス情報が一致すれば、ＩＣタグ２０は、メモリ２６に記憶されたＴＯＣ情報を読み出し（ステップＳ２０６）、これを読取制御部４０に送信する（ステップＳ２０７）。中央処理部３６は、読取制御部４０からＴＯＣ情報を受け取り、対応するディスクの装着後に音楽の再生を行う（ステップＳ２０８）。一方、アドレス情報が一致しないとき、ＩＣタグ２０は動作せず、従って、当該ＩＣタグ２０から読取制御部４０にＴＯＣ情報は送信されない（ステップＳ２０９）。
【００３３】
このようにディスクの識別を合わせて行うことで、仮に、読取制御部４０の通信可能領域内に複数のディスクが配置されていたとしても、再生すべきディスク以外のＴＯＣ情報を誤って読取ることはない。
【００３４】
以上、本発明の好ましい実施の形態について詳述したが、本発明は係る特定の実施形態に限定されるものではなく、特許請求の範囲に記載された本発明の要旨の範囲内において、種々の変形・変更が可能である。
【産業上の利用可能性】
【００３５】
本発明に係る再生装置および再生方法は、ＣＤ、ＭＤ、ＤＶＤ等の記録媒体に記録された再生データの再生機能を行う電子機器において利用される。
再生機能を有するオーディオ・ビデオ（ＡＶ）機器、ディジタル家電、カーオーディオ・ビデオシステム、ナビゲーションシステム等において広く利用することができる。
【図面の簡単な説明】
【００３６】
【図１】本発明の実施例に係るオーディオシステムの構成を示すブロック図である。
【図２】図２（ａ）はＩＣタグの取付け位置を示す斜視図、図２（ｂ）はそのＸ−Ｘ線断面図である。
【図３】ＩＣタグの内部構成を示す図である。
【図４】読取制御部の内部構成を示すブロック図である。
【図５】第１の実施例に係るデータ再生部の内部構成を示すブロック図である。
【図６】第１の実施例におけるディスクの再生動作を説明するフローチャートである。
【図７】再生に要する時間を説明する図である。
【図８】第２の実施例に係るデータ再生部の内部構成を示すブロック図である。
【図９】ディスクの識別情報を記憶したテーブルである。
【図１０】第２の実施例に係るディスクの再生動作を説明するフローチャートである。
【符号の説明】
【００３７】
１：オーディオシステム            １０：ディスク
２０：ＩＣタグ                    ２２：電子回路部
２４：アンテナ部                  ２６：メモリ
２８：制御部                      ３０：データ再生部
３１：光学ピックアップ            ３２：信号処理部
３３：ＤＡＣ                      ３４：スピーカ
３５：駆動部                      ３６：中央処理部
４０：読取制御部                  ４２：ＲＦモジュール
４４：コントローラ
【図１】
2005243119.tif 000003
【図２】
2005243119.tif 000004
【図３】
2005243119.tif 000005
【図４】
2005243119.tif 000006
【図５】
2005243119.tif 000007
【図６】
2005243119.tif 000008
【図７】
2005243119.tif 000009
【図８】
2005243119.tif 000010
【図９】
2005243119.tif 000011
【図１０】
2005243119.tif 000012